(57)【特許請求の範囲】
【請求項１】
浴室に敷き詰めた二重床の表面材と浴室の側壁面との隙間を、該隙間よりも広幅の目隠し板で被覆した端仕舞構造であって、
上記二重床は、高さ調節用の脚を備えた支持基材を浴室の床面に複数配置すると共に、各支持基材の両側へ突き出した受部に支持材の端部を係着して支持基材間に支持材を架け渡し、表面材を支持基材及び支持材に被着したものであり、
上記目隠し板は、傾斜板部の両側に略水平な側縁を有する屈曲断面形状の板であって、その低い方の側縁が上記二重床の表面材に重ねられて、その重なり部分が接合材を介して接合されていることを特徴とする、浴室の二重床の端仕舞構造。
【請求項２】
目隠し板が、表面材と異なる色に着色したものであることを特徴とする、請求項１に記載の端仕舞構造。
【請求項３】
接合材が、表面に無数の係合子を有する係合テープと、表面に無数の被係合子を有する被係合テープとから成るものであって、いずれか一方のテープを目隠し板の低い方の側縁の裏面に貼着すると共に、他方のテープを表面材の上面に貼着し、係合テープの係合子を被係合テープの被係合子に係合させることによって、目隠し板の低い方の側縁と表面材との重なり部分を脱着自在に接合したことを特徴とする、請求項１又は請求項２に記載の端仕舞構造。
【請求項４】
支持基材の端部と浴室の側壁面との隙間に、高さ調節用の脚を備え且つ支持基材より巾狭の巾調整用支持基材を配置して支持基材に接続すると共に、巾調整用支持基材の両側へ突き出した受部に支持材の端部を係着して巾調整用支持基材間に支持材を架け渡し、巾調整用支持基材の高さを支持基材の高さと同じになるように調整して、表面材を更に巾調整用支持基材及び支持材にも被着したことを特徴とする、請求項１に記載の端仕舞構造。
【発明の詳細な説明】
【０００１】
【発明の属する技術分野】
本発明は、浴室に敷き詰める二重床の端仕舞構造に関する。
【０００２】
【従来の技術】
従来の組立式の浴室は、水漏れを防止するために、その床を合成樹脂製の防水パンで形成している。このような浴室は、防水パンの周囲が立上がっている分だけ、床面よりも浴室の出入口の方が高くなるため、出入口の部分でかなりの段差が存在する。けれども、浴室の出入口に段差があると出入りしにくく、老人等が段差に躓いて転倒する危険性もあった。
【０００３】
かかる問題に対処するため、浴室の床を二重床にしたものが既に開発されているが、これまでの二重床はその浴室専用に設計されており、例えば高さ調節機能などがないため、出入口部分の段差の大きさが種々異なる他の浴室には使用できないという不都合があった。
【０００４】
そこで、本出願人は、簡単に組立てながら浴室に敷き詰めることができる高さ調節の自在な二重床を開発し、既に提案した（特願平９−３１５９６４号）。この二重床は、その表面材を浴室の出入口の下端と略同じ高さにそろえて段差をなくすことができるものであるが、まだ、次に述べるような問題があった。
【０００５】
【発明が解決しようとする課題】
即ち、浴室の床は縦横の寸法が種々異なるため、上記の二重床を敷き詰めたときに、その表面材と浴室の側壁面との間にかなり大きい隙間を生じることが多く、このような隙間が生じると、入浴者が足を落とし込んで怪我をしたり、二重床が横滑りして入浴者が転倒するなどの危険性があった。
【０００６】
本発明は、かかる問題を解消することができる浴室の二重床の端仕舞構造を提供することを目的としている。
【０００７】
【課題を解決するための手段】
前記目的を達成するため、本発明の請求項１に係る浴室の二重床の端仕舞構造は、浴室に敷き詰めた二重床の表面材と浴室の側壁面との隙間を、該隙間よりも広幅の目隠し板で被覆した端仕舞構造であって、上記二重床は、高さ調節用の脚を備えた支持基材を浴室の床面に複数配置すると共に、各支持基材の両側へ突き出した受部に支持材の端部を係着して支持基材間に支持材を架け渡し、表面材を支持基材及び支持材に被着したものであり、上記目隠し板は、傾斜板部の両側に略水平な側縁を有する屈曲断面形状の板であって、その低い方の側縁が上記二重床の表面材に重ねられて、その重なり部分が接合材を介して接合されていることを特徴とするものである。
【０００８】
この端仕舞構造のように、二重床の表面材と浴室の側壁面との隙間が広幅の目隠し板で被覆されると、入浴者が隙間に足を落とし込むことがなくなり、また、二重床を横滑りさせる力が作用しても、浴室の側壁面に当接する目隠し板がストッパーの役目をするため、二重床の横滑りを阻止することができる。従って、入浴者が足を落とし込んで怪我をしたり、二重床の横滑りによって転倒する危険性を回避することができる。また、目隠し板の側縁と表面材との重なり部分は接合材で接合されているため、目隠し板が表面材から剥離したり、隙間へ落ち込んだりすることもない。
【００１０】
しかも、この端仕舞構造では、目隠し板の傾斜板部が表面材から浴室の側壁面に向かって斜め上方に立ち上がった姿勢となるため、この目隠し板によって良好な水切り性能が発揮され、二重床の周縁部に水が溜まらなくなる。また、目隠し板の傾斜板部が斜め上方に立ち上がっていると、入浴者が目隠し板を踏むことも殆どなくなる。更に、二重床は、高さ調節用の脚を操作して支持基材の高さを調節することにより、表面材を浴室の出入口の下端と略同じ高さに簡単にそろえることができるので、浴室の出入口の段差が種々異なる場合でも高さを合わせて容易に敷き詰めることができる。
【００１１】
また、本発明の請求項２に係る二重床の端仕舞構造は、上記請求項１の端仕舞構造において、その目隠し板が、表面材と異なる色に着色したものであることを特徴とする。
【００１２】
このように目隠し板と表面材の色が異なると、目隠し板が良く目立つので、目隠し板を踏む心配が皆無に等しくなる。
【００１３】
次に、本発明の請求項３に係る二重床の端仕舞構造は、上記請求項１又は２の端仕舞構造において、その接合材が、表面に無数の係合子を有する係合テープと、表面に無数の被係合子を有する被係合テープとから成るものであって、いずれか一方のテープを目隠し板の低い方の側縁の裏面に貼着すると共に、他方のテープを表面材の上面に貼着し、係合テープの係合子を被係合テープの被係合子に係合させることによって、目隠し板の低い方の側縁と表面材との重なり部分を脱着自在に接合したことを特徴とするものである。
【００１４】
この端仕舞構造では、表面材に貼着したテープと目隠し板の側縁の裏面に貼着したテープを重ねて上から押さえるだけで、重なり部分をしっかりと接合することができ、目隠し板を引き上げて双方のテープを引き剥がせば、簡単に表面材から目隠し板を取り外すことができる。従って、この目隠し板を取り外して隙間から手を入れて二重床を分解し、浴室から二重床を取り除いて浴室の床掃除等を行う場合には便利である。
【００１７】
上記の二重床において、表面材と浴室の側壁面との隙間が広すぎるような場合には、請求項４のように、支持基材の端部と浴室の側壁面との隙間に、高さ調節用の脚を備え且つ支持基材より巾狭の巾調整用支持基材を配置して支持基材に接続すると共に、巾調整用支持基材の両側へ突き出した受部に支持材の端部を係着して巾調整用支持基材間に支持材を架け渡し、巾調整用支持基材の高さを支持基材の高さと同じになるように調整して、表面材を更に巾調整用支持基材及び支持材に被着しても良い。
【００１８】
表面材と浴室側壁面との隙間が広すぎると、特別に幅の広い目隠し板を用いて被覆することが必要になるが、請求項４のようにすると、幅調整用支持基材及び支持材に被着した表面材によって浴室の側壁面との隙間が狭められるので、幅の広い目隠し板が不要となる。
【００１９】
【発明の実施の形態】
以下、図面を参照して本発明の具体的な実施形態を詳述する。
【００２０】
図１は本発明の一実施形態に係る浴室の二重床の端仕舞構造を示す一部切欠平面図、図２は同二重床の端仕舞構造の拡大部分側面図、図３は目隠し板を省略した同二重床の正面図である。
【００２１】
図１及び図２に示す浴室の二重床の端仕舞構造は、浴室ＢＲに敷き詰めた二重床の端部に位置する表面材３と浴室の側壁面１２との隙間１５を、該隙間よりも広幅の目隠し板１６で被覆すると共に、この目隠し板１６の側縁１６ａと表面材３との重なり部分を接合材１７を介して脱着自在に接合したものである。
【００２２】
先ず、浴室ＢＲに敷き詰める二重床から説明する。
【００２３】
この二重床は、支持基材１と支持材２と表面材３とで構成されており、図１及び図３に示すように、支持基材１は前後に二つ接続され、左右に一定間隔をあけて三列に並べて浴室ＢＲの床面４上に配置されている。そして、各支持基材１の両側へ突き出した受部１ａに支持材２の端部が係着されて、支持基材１，１間に支持材２が３本ずつ架け渡されており、その上に表面材３が被着されている。この表面材３は、高さ調節用の脚５で支持基材１の高さを調節することにより、浴室ＢＲの出入口の下端６と略同一の高さにそろえられている。
【００２４】
支持基材１はポリプロピレン等の合成樹脂を射出成形したもので、図４〜図８に示すように、支持基材１の下端には受部１ａ，１ａが両側へ突き出して形成されている。この受部１ａは三角形の隔壁１ｂ，１ｂで三つに区切られ、各区切り部分ごとに止具挿通孔１ｃが形成されている。そして、この受部１ａの両端には上記隔壁１ｂの略半分の厚みを有する三角壁１ｄ，１ｄと端板１ｅ，１ｅが一体に形成され、この端板１ｅ，１ｅの間に蟻溝１ｊが形成されている。また、受部１ａの裏面には補強リブ１ｋが形成されている。
【００２５】
上記の受部１ａから支持基材１の上面までの高さ寸法は、支持材２の高さ寸法と同一に設定され、また、隔壁１ｂ相互間の寸法、及び、隔壁１ｂと三角壁１ｄの間の寸法は、いずれも支持材２の巾寸法と同一に設定されている。従って、この受部１ａの三つの区切り部分には３本の支持材２の端部がガタツキなく係着され、係着された状態では、図３，図１２に示すように支持材２の上面と支持基材１の上面が同じ高さになっている。そして、支持材２の端部は、図１２に示すように止具挿通孔１ｃからねじ込まれたビス７で固定され、受部１ａから外れ落ちないようになっている。このように左右の支持基材１，１間に３本の支持材２を並列させて架け渡すと、支持材２の相互間には隔壁１ｂの厚み分の隙間が形成されることになる。
【００２６】
前後に配置された支持基材１，１は、図１３に示すように支持基材１，１の端板１ｅ，１ｅ同士を当接させると共に、三角形の挟着片１０ａ，１０ａを有する接続具１０で双方の端板１ｅ，１ｅを挟むことによって接続されている。このように接続されると、支持基材１，１の端部の三角壁１ｄ，１ｄ同士が重なって隔壁１ｂと同じ厚みとなるため、この三角壁１ｄ，１ｄを挟んで隣接する支持材２，２の間にも、隔壁１ｂの厚みに相当する隙間が形成されることになり、結局、全ての支持材２が隔壁１ｂの厚み分の相互間隙をあけて並列した状態となる。
【００２７】
図４，図９に示すように、支持基材１の両端部には縦方向の貫通孔１ｆ，１ｆが形成されている。そして、この貫通孔１ｆの下端部には筒状スペーサ８が取付けられ、該筒状スペーサ８に高さ調節用の脚５が螺入されている。
【００２８】
この筒状スペーサ８、高さ調節用の脚５はいずれも、ポリプロピレン等の合成樹脂を射出成形したもので、図９及び図１０に示すように、筒状スペーサ８の内周面には雌ネジ８ａが切られ、上部外周面には雄ネジ８ｂが切られている。そして、この雄ネジ８ｂ部分を上記貫通孔１ｆの下端部の雌ネジ部分にねじ込むことによって筒状スペーサ８が取付けられている。また、この筒状スペーサ８の下部内周面は拡径され、そこに雌ネジ８ｃが形成されている。従って、この雌ネジ８ｃ部分に下方からもう一つの筒状スペーサ８の雄ネジ８ｂ部分をねじ込むと、筒状スペーサ８を上下に接続できるようになっている。
【００２９】
高さ調節用の脚５は、その外周面に雄ネジ５ａが切られ、上記の筒状スペーサ８に下方から螺入されている。そして、この脚５の上端面には、六角レンチ等の回転具を挿入する挿入穴５ｂ（レンチ穴）が形成されている。従って、六角レンチ等の回転具を支持基材１の上方から貫通孔１ｆに通して上記の挿入穴５ｂへ挿入し、該回転具で高さ調節用の脚５を回転させると、筒状スペーサ８に対する脚５の螺入寸法が変化して支持基材１の高さを簡単に調節できるようになっている。尚、図９において、９は脚５の下端に嵌着されたゴム座である。
【００３０】
上記のように高さ調節用の脚５を回転させ、筒状スペーサ８に対する脚５の螺入寸法を最小限にして支持基材１を最高の高さに調節しても、なお支持基材１の高さが不足するために表面材３を浴室ＢＲの出入口の下端６と同じ高さにそろえることができない場合は、前述したように筒状スペーサ８を上下に適当個数接続して必要な高さをかせぐようにすればよい。
【００３１】
前記の支持材２及び表面材３はいずれも、ポリ塩化ビニルなどの合成樹脂を押出成形したもので、図１１に示すように、支持材２は中空構造とされ、その上面に凹溝２ａが形成されている。そして、この凹溝２ａの両側面には全長に亘って小さな凸リブ２ｂ，２ｂが形成されている。また、前記支持基材１の上面にも、上記凹溝２ａに合致した形状の凹部１ｇが３箇所形成され、同様に小さな凸リブ１ｈ，１ｈが各凹部１ｇの両側面に形成されている。従って、左右の支持基材１，１間に支持材２を架け渡すと、支持材２の凹溝２ａと支持基材１の凹部１ｇが連続し、凸リブ２ｂと凸リブ１ｈも連続するようになっている。
【００３２】
表面材３は支持材２より若干巾広の帯板状に形成され、図１１に示すように、その両側縁が下方に折曲されている。そして、この表面材３の裏面には、互いに平行な一対の嵌込み板３ａ，３ａが全長に亘って突設され、これらの嵌込み板３ａ，３ａの下端には、外側へ突き出す係合爪部３ｂ，３ｂが形成されている。
【００３３】
かかる表面材３は、裏面の嵌込み板３ａ，３ａを支持材２の凹溝２ａと支持基材１の凹部１ｇに嵌め込んで、係合爪部３ｂ，３ｂを凹溝２ａの凸リブ２ｂ，２ｂと凹部１ｇの凸リブ１ｈ，１ｈに下方から係合させることにより、浮き上がって外れることのないように支持材２と支持基材１に被着されている。尚、表面材３の下方へ折曲された両側縁が支持基材１の上面に当るのを防止するため、支持基材１の上面には、表面材３の両側縁を落とし込む凹部１ｉが形成されている。
【００３４】
上記のように表面材３が被着されると、表面材３の相互間に一定の小さな隙間が形成され、この隙間と支持材２相互間の隙間を通じて排水が良好に行われるため、表面材３の上に水が溜まらなくなる。また、表面材３相互の隙間は足裏に適度な引掛かりを与えるので、滑り止めの効果も発揮される。
【００３５】
尚、表面材３の表面に小さな凹凸が形成されていると、滑り止め効果が顕著となり、更に抗菌処理コーティングが施されていると、衛生面に優れた二重床となる利点があるので好ましい。
【００３６】
以上のような構造の二重床の端部に位置する表面材３と浴室ＢＲの側壁面１２との間の隙間１５を覆う目隠し板１６は、ポリ塩化ビニルなどの合成樹脂を押出成形したもので、図２及び図１４に示すように、傾斜板部１６ｂの両側に略水平な側縁１６ａ，１６ｃを形成した屈曲断面形状を有しており、その高い方の側縁１６ｃの端は斜め下方へ折曲されている。そして、この目隠し板１６は、良く目立つように、表面材３と異なる色に着色されている。
【００３７】
この目隠し板１６と表面材３との重なり部分を接合する接合材１７は、図１４に示すように、表面に無数の係合子１７ａを有する係合テープ１７ｂと、表面に無数の被係合子１７ｃを有する被係合テープ１７ｄとから成るもので、具体的には「マジックテープ（登録商標）」として市販されているものが好適に使用される。
【００３８】
この接合材１７の一方の係合テープ１７ｂは、目隠し板１６の低い方の側縁１６ａの裏面に貼着され、他方の被係合テープ１７ｄは、表面材３の上面に貼着されている。そして、目隠し板１６の側縁１６ａを上から押さえ、係合テープ１７ｂの係合子１７ａを被係合テープ１７ｄの被係合子１７ｃに係合させることによって、目隠し板１６の低い方の側縁１６ａと表面材３との重なり部分を脱着自在に接合している。なお、上記とは逆に、目隠し板１６の側縁１６ａに被係合テープ１７ｄを貼着し、表面材３に係合テープ１７ｂを貼着してもよい。
【００３９】
このような実施形態の端仕舞構造は、浴室ＢＲに敷き詰めた二重床の端部に位置する表面材３に目隠し板１６の側縁１６ａを接合材１７で脱着自在に接合して表面材３と浴室側壁面１２との隙間１５を覆うだけの簡単な作業により、素人でも容易に施工できるものであり、隙間１５の幅に応じて表面材３に貼着する被係合テープ１７ｄの位置を左右に移動させれば、隙間１５の幅が広くても狭くても確実に目隠し板１６で覆うことができるものである。このように目隠し板１６で隙間１５が覆われると、隙間１５が隠れて見えなくなるので体裁が向上するだけでなく、入浴者がその隙間に足を落とし込んで怪我をする心配が解消される。そして、二重床に横滑りさせる力が作用しても、浴室の側壁面１２に当接する目隠し板１６がストッパーの役目をして二重床の横滑りを阻止するため、入浴者が二重床の横滑りによって転倒する危険性が回避される。
【００４０】
しかも、この実施形態の端仕舞構造では、目隠し板１６の傾斜板部１６ｂが表面材３から浴室の側壁面１２に向かって斜め上方に立上がった姿勢で取付けられるため、この目隠し板１６によって良好な水切り性能が発揮され、二重床の周縁部に水が溜まらなくなる。また、目隠し板１６が斜め上方に立上がっていると、入浴者が目隠し板を踏みにくくなり、特に、この実施形態の目隠し板１６は表面材３と異なる色に着色されて良く目立つため、目隠し板を踏む心配が皆無に等しくなる。
【００４１】
更に、この実施形態の端仕舞構造では、目隠し板１６の側縁１６ａを上から押さえるだけで、係合テープ１７ｂの係合子１７ａが被係合テープ１７ｄの被係合子１７ｃに係合して、目隠し板１６の側縁１６ａと表面材３をしっかりと接合することができるため、たとえ入浴者が目隠し板１６を踏んだとしても、目隠し板１６が剥離して隙間１５に落ち込むようなことは殆どない。そして、目隠し板１６を引き上げて双方のテープ１７ｂ，１７ｄを引き剥がせば、比較的簡単に表面材３から目隠し板１６を取り外すことができるので、目隠し板１６を取り外して隙間５から手を入れて二重床を分解し、浴室から二重床を取り除いて浴室の床掃除等を行う場合には便利である。
【００４２】
また、この実施形態における二重床は、高さ調節用の脚５を操作して支持基材１の高さを調節することにより、表面材３を浴室の出入口の下端６と略同じ高さにそろえることができ、素人でも容易に組立てられるものであるから、浴室の出入口の段差が種々異なる場合でも、入浴者がつまずかないように高さを合わせて容易に敷き詰めることができる。
【００４３】
以上説明した実施形態の端仕舞構造は、表面材３と浴室の側壁面１２までの隙間１５の幅が比較的狭い場合、例えば表面材３の幅より狭いような場合に採用されるものであり、隙間１５の幅が表面材３の幅より広い場合には、次の図１５，図１６に示すような実施形態の端仕舞構造が採用される。
【００４４】
この図１５，図１６に示す実施形態の端仕舞構造は、前述した二重床の支持基材１の端部と浴室の側壁面１２との間に、高さ調節用の脚５を備え且つ支持基材１より巾狭の巾調整用支持基材１１を配置して支持基材１の端部に接続すると共に、巾調整用支持基材１１の両側へ突き出した受部１１ａに支持材２の端部を係着して巾調整用支持基材１１，１１間に支持材２を架け渡し、高さ調節用の脚５を操作して巾調整用支持基材１１の高さを支持基材１の高さと同じになるように調整して、この巾調整用支持基材１１及び支持材２に表面材３を更に被着している。そして、この表面材３と浴室の側壁面１２との隙間１５を前記の目隠し板１６で覆い、表面材３と目隠し板１６の側縁１６ａとの重なり部分を前記の接合材１７を介して脱着自在に接合した構造となっている。
【００４５】
巾調整用支持基材１１は、図１７（ａ）（ｂ）に示すように、二重床の支持基材１を１／３に分割したような巾狭の形状をしている。即ち、この巾調整用支持基材１１は、支持基材１と同様にポリプロピレン等の合成樹脂を射出成形したもので、該基材１１の下端には両側へ突き出した受部１１ａ，１１ａが形成されており、この受部１１ａに止具挿通孔１１ｃが形成されている。そして、この受部１１ａの両端には、三角壁１１ｄ，１１ｄと端板１１ｅ，１１ｅが一体に形成されている。また、この巾調整用支持基材１１の上面中央部には、前記支持材２の凹溝２ａに合致した形状の凹部１１ｇが形成され、その両側面に凸リブ１１ｈ，１１ｈが形成されている。更に、この巾調整用支持基材１１の一端部には縦方向の貫通孔１１ｆが形成され、図１６，図１７に示すように、該貫通孔１ｆの下端部に筒状スペーサ８が取付けられて、高さ調節用の脚５が下方から螺入されている。この筒状スペーサ８や高さ調節用の脚５は前述したものと同様である。
【００４６】
図１７（ａ）に示すように、この巾調整用支持基材１１の一端の端板１１ｅ，１１ｅの間には接続用の蟻溝１１ｊが形成されている。一方、他端の端板１１ｅ，１１ｅの間には、図１７（ｂ）に示すように、接続用の蟻ほぞ１１ｍが形成され、この蟻ほぞ１１ｍの上端には両側へ突き出す係止片１１ｎが形成されている。そして、この巾調整用支持基材１１の蟻ほぞ１１ｍを支持基材１の蟻溝１ｊに上方から差込んで嵌合させると共に、係止片１１ｎを蟻溝１ｊの上端に係止させることによって、巾調整用支持基材１１を支持基材１の端部に接続している。
【００４７】
尚、上記とは逆に、巾調整用支持基材１１側に蟻溝を設け、支持基材１側に蟻ほぞを設けて接続してもよい。
【００４８】
この実施形態の端仕舞構造のように、支持基材１の端部に接続した幅調整用支持基材１１及び支持材２に表面材３を被着すると、浴室の側壁面１２との隙間１５が狭められるため、特別に幅の広い目隠し板を別途準備する必要がなくなり、前述の実施形態で用いた目隠し板１６を共用して同様に端仕舞処理できる利点がある。
【００４９】
以上、二つの具体的な実施形態を挙げて本発明の端仕舞構造を詳述したが、本発明はこれらの実施形態のみに限定されるものではなく、例えば、屈曲断面形状の目隠し板１６に代えて平板状の目隠し板を使用したり、係合テープ１７ｂと被係合テープ１７ｄからなる接合材１７に代えて両面粘着テープを使用して目隠し板１６と表面材３との重なり部分を接合するなど、種々の設計的変更を許容し得るものである。
【００５０】
【発明の効果】
本発明の浴室の二重床の端仕舞構造は、施工が簡単で体裁が良く、入浴者が二重床と浴室側壁面との隙間に足を落とし込んで怪我をしたり、二重床の横滑りによって入浴者が転倒する危険を解消することができ、望ましい実施形態では二重床の端仕舞部分の水切り性を向上させることもできるなど、多くの顕著な効果を奏する。
【図面の簡単な説明】
【図１】本発明の一実施形態に係る浴室の二重床の端仕舞構造を示す一部切欠平面図である。
【図２】同二重床の端仕舞構造の拡大部分側面図である。
【図３】目隠し板を省略した同二重床の正面図である。
【図４】同二重床に用いる支持基材の斜視図である。
【図５】同二重床に用いる支持基材の平面図である。
【図６】同二重床に用いる支持基材の正面図である。
【図７】同二重床に用いる支持基材（筒体と高さ調節用の脚を外したもの）の底面図である。
【図８】（ａ）は図５のＡ−Ａ線切断端面図、（ｂ）は図５のＢ−Ｂ線切断端面図、（ｃ）は図５のＣ−Ｃ線切断端面図である。
【図９】図５のＤ−Ｄ線拡大断面図である。
【図１０】同二重床に用いる支持基材の高さ調節用の脚と筒状スペーサの斜視図である。
【図１１】（ａ）は同二重床に用いる表面材と支持材を分離した状態の断面図、（ｂ）は同表面材を同支持材に被着した状態の断面図である。
【図１２】同二重床における支持基材の受部と支持材の端部との係着状態を示す部分断面図である。
【図１３】同二重床における支持基材相互の接続状態を示す部分斜視図である。
【図１４】目隠し板の拡大断面図である。
【図１５】本発明の他の実施形態に係る浴室の二重床の端仕舞構造を示す一部切欠平面図である。
【図１６】同端仕舞構造の部分側面図である。
【図１７】（ａ）は巾調整用支持基材の斜視図、（ｂ）は同幅調整用支持基材を１８０度回転させた斜視図である。
【符号の説明】
ＢＲ  浴室
１  支持基材
１ａ  受部
２  支持材
３  表面材
４  浴室の床面
５  高さ調節用の脚
６  出入口の下端
８  筒状スペーサ
１１  巾調整用支持基材
１１ａ  受部
１２  浴室の側壁面
１５  表面材と浴室の側壁面との隙間
１６  目隠し板
１６ａ，１６ｃ  側縁
１６ｂ  傾斜板部
１７  接合材
１７ａ  係合子
１７ｂ  係合テープ
１７ｃ  被係合子
１７ｄ  被係合テープ
【図１】
0003752611.tif 000002
【図２】
0003752611.tif 000003
【図３】
0003752611.tif 000004
【図４】
0003752611.tif 000005
【図５】
0003752611.tif 000006
【図６】
0003752611.tif 000007
【図７】
0003752611.tif 000008
【図８】
0003752611.tif 000009
【図９】
0003752611.tif 000010
【図１０】
0003752611.tif 000011
【図１１】
0003752611.tif 000012
【図１２】
0003752611.tif 000013
【図１３】
0003752611.tif 000014
【図１４】
0003752611.tif 000015
【図１５】
0003752611.tif 000016
【図１６】
0003752611.tif 000017
【図１７】
0003752611.tif 000018